(57)【特許請求の範囲】
【請求項１】
凍結乾燥または溶媒乾燥したスポンジの形態の創傷ドレッシング材料であって、
繊維性の実質的に不溶なコラーゲンと、
粉砕された繊維または粉末の形態の酸化セルロースであって、前記コラーゲンと複合体を形成した酸化セルロースと、
酸化セルロース以外の生体適合性多糖であって、０重量％乃至２５重量％の生体適合性多糖と、
０重量％乃至２０重量％の水と、
０重量％乃至４０重量％の可塑剤と
からなる、創傷ドレッシング材料。
【請求項２】
前記コラーゲンと前記酸化セルロースとは合わせて当該創傷ドレッシング材料の少なくとも７５重量％を構成する請求項１に記載の創傷ドレッシング材料。
【請求項３】
０．１重量％乃至５０重量％の前記酸化セルロースと、５０重量％乃至９９．９重量％の前記コラーゲンとを含む請求項１に記載の創傷ドレッシング材料。
【請求項４】
５０重量％の前記酸化セルロースと、５０重量％の前記コラーゲンとからなる請求項１に記載の創傷ドレッシング材料。
【請求項５】
コラーゲンの酸化セルロースに対する重量比は２：１乃至９５：１である請求項１に記載の創傷ドレッシング材料。
【請求項６】
酸化セルロース以外の生体適合性多糖を含まない請求項１乃至請求項５のうちのいずれかに記載の創傷ドレッシング材料。
【請求項７】
可塑剤を含まない請求項１乃至請求項６のうちのいずれかに記載の創傷ドレッシング材料。
【請求項８】
前記酸化セルロースは酸化再生セルロースである請求項１乃至請求項７のうちのいずれか１項記載の創傷ドレッシング材料。
【請求項９】
当該創傷ドレッシング材料は、コラーゲン、酸化再生セルロース、および水からなる請求項１乃至請求項８のうちのいずれかに記載の創傷ドレッシング材料。
【請求項１０】
請求項１乃至９のいずれかに記載の創傷ドレッシング材料を製造する方法であって、
繊維性の実質的に不溶なコラーゲンの水性分散液を供給する工程と、
粉砕された繊維状または粉末状の酸化セルロースを前記水性分散液中に混ぜながら分散させる工程と、
その後、凍結乾燥または溶媒乾燥により、前記水性分散液から水を除去する工程と
を含む方法。
【発明の詳細な説明】
本発明は慢性創傷（chronic wound）治癒のための酸化セルロース（oxidized celluloses）および酸化セルロースとコラーゲン等の構造タンパク質との複合体（complexes）の使用に関する。
酸化セルロースはセルロースの酸化、例えば四酸化二窒素を用いた酸化により製造される。この製法はその糖残基上の第一アルコール基をカルボキシル酸基に転換し、そのセルロース鎖内にウロン酸残基を形成するものである。この酸化は完全な選択性をもって進行せず、その結果、２位および３位炭素上のヒドロキシル基がケト形に転換される場合がある。これらのケトン単位はアルカリ不安定結合を導入し、これがｐＨ７以上で、ラクトン生成と糖環開裂を通じて該高分子の分解を開始させる。その結果、酸化セルロースは生理的条件下で生分解性、生吸収性である。
実際の用途に好適な酸化セルロースは、レーヨン等の再生セルロースの酸化によって製造された酸化再生セルロース（oxidized regenerated cellulose：ＯＲＣ）である。ＯＲＣが止血特性を有することが以前から知られている。ＯＲＣはSURGICEL（登録商標−ジョンソン・エンド・ジョンソン・メディカル社（Johnson & Johnson Medical, Inc.））とよばれる止血製品として１９５０年から入手可能である。この製品は編んだレーヨン材料の酸化によって製造される。
多孔性、密度および編パターンの改良は、第二のＯＲＣ布製品INTERCEED（登録商標−ジョンソン・エンド・ジョンソン・メディカル社）の事業開始につながり、これが腹部手術における術後癒着（post-surgical adhesions）の程度を減少させることが示された。
米国特許公報第２５１７７７２号（Doubら）は、ＯＲＣをトロンビンで含浸することによって得られた改善された止血性材料を記載している。
欧州特許公開第０４３７０９５号は、合成した酸性ＯＲＣ材料を酢酸ナトリウム等の弱有機酸の塩基性塩の溶液と接触させることによって調製した中和されたＯＲＣ材料を記載している。その結果生じた生成物は止血および癒着防止が示されている。
動物起源の構造タンパク質であるコラーゲンは、創傷ドレッシング（wound dressing）として用いるために種々の形態で知られている。
英国特許公開第１５１５９６３号は医療および手術用途、血管移植および全形態の手術用プロテーゼ（補綴具）において用いるための架橋したコラーゲン−ムコ多糖複合材料を記載している。この複合材料は、コラーゲンと不可逆的に結合したムコ多糖を少なくとも０．５重量％で含有する。このムコ多糖は、ヒアルロン酸、コンドロイチン硫酸、ヘパリン硫酸等のヘキソサミン残基を含有する動物性多糖である。この複合材料は、単なるコラーゲン材料よりも大きな吸収抵抗性と良好な血液適合性を示すと記載されている。
米国特許公報第４６１４７９４号は、コラーゲンとアルギン酸ナトリウム等のポリアニオン性植物性多糖との間で形成された複合体を記載している。この複合体は、該タンパク質の等電点よりも高くないｐＨで該タンパク質と該多糖を化合させることによって形成されるのが好ましい。この結果生じた複合体は創傷ドレッシングを含め多種多様な医療および手術用途に適していると記載しているが、ポリアニオン性植物性多糖の代わりに酸化セルロースを使用することについての開示はない。その明細書は、コラーゲン以外のフィブリンまたはエラスチン等のタンパク質を有用なタンパク質／多糖複合体の形成に使用し得ることも教示している。
英国特許公開第２２８０８５０号は、ＯＲＣでもよい生吸収性高分子のフィルムで補強した医薬用コラーゲンを含む歯周病処置用の医薬用インプラントを記載している。このコラーゲンマトリックスは分散したＯＲＣ繊維もしくは断片を含有してよい。
欧州特許公開第０１７７０６４号は、手術用止血材としての編んだ酸化セルロース布の使用を記載している。
欧州特許公開第０５６２８６２号は、創傷インプラントとして使用するための生吸収性スポンジ材料を記載している。この材料は、副次構造が中に配向されたコラーゲンスポンジマトリックスを含む。このマトリックスおよび／または副次構造は酸化再生セルロースを含んでよい。そこには慢性創傷処置用にそのような材料を使用することについて何ら開示がない。
英国特許公開第１００６６０６号は、ゲル状マトリックス中に分散した酸化セルロースクリスタリット凝集物を含む止血性創傷ドレッシングを記載している。そのような止血性ゲルの手術における使用が開示されている。
上述のコラーゲンもしくはコラーゲン／多糖創傷ドレッシング材料は重要な利点を与える。これらの材料は（化学的に変更される場合はあるが）天然の生物起源のものであり、したがって低い免疫原性を有する傾向にある。これらの材料は一般的に生吸収性であり、従来の創傷ドレッシング材料の創傷表面からの除去に関連する外傷を減少させる。さらに、これらの材料のいくつかは創傷治癒に対して積極的な治療効果を有することができる。例えば、ヒアルロン酸等のいくつかの動物性ムコ多糖は、繊維芽細胞等の創傷治癒細胞に対して走化性効果を及ぼし、それによりこのような細胞の増殖と発達を促進すると考えられている。しかしながら、この一般型の改善された創傷ドレッシング材料であって、物理特性と生物吸収速度の一層良好な調節、創傷治癒に対する一層良好な治療効果およびコスト低減を示すものに対し、依然としてニーズがある。
本発明一つの目的は、哺乳動物、特にヒトの慢性創傷、例えば、静脈性潰瘍（venous ulcers）、褥瘡性潰瘍（decubitis ulcers）、糖尿病性潰瘍（diabetic ulcers）用の改善された創傷ドレッシング材料を提供することである。そのような慢性創傷は出液（bleeding）や他の体組織への癒着（adhesion）をほとんど示さないか、全く示さないのが一般的であり、従って、そのような創傷の処置に対して酸化セルロースはこれまで示されていない。
酸化セルロースが慢性創傷の処置に対して有効な創傷ドレッシング材料であることが、今、見出された。
従って、本発明は慢性創傷処置用の創傷ドレッシング材料の製造のための酸化セルロースの使用を提供するものである。
この酸化セルロースは酸化再生セルロース（ＯＲＣ）であることが好ましい。酸化セルロースは創傷液に溶けない織った繊維体、織らない（不織）繊維体または編んだ繊維体の形態であることが好ましい。例えば、酸化セルロースは当業界で知られたSURGICEL（登録商標）もしくはINTERCEED（登録商標）布の一つの形態であることが好ましい。他の好ましい実施形態において、酸化セルロースはミル（粉砕）した繊維のような繊維の形態または粉末の形態であり、適切な局所医薬品賦形剤中に分散されるのが好ましい。
この酸化セルロースの平均分子量は５０，０００より大きいことが好ましい。そのような酸化セルロースは創傷液中で実質的に不溶ではあるが、生理的ｐＨで生吸収性断片への非常に徐々に分解を受ける。
この酸化セルロースは中和されないことか好ましい。しかし、本発明は、上記慢性創傷処置用の医薬品の製造のために、欧州特許公開第０４３７０９５号に記載された部分的にまたは完全に中和された材料を使用することも包含する。
この酸化セルロースは前記創傷ドレッシング材料中で構造タンパク質と複合体形成するのが好ましい。
このタンパク質（存在する場合）と酸化セルロースは合わせて、該創傷ドレッシング材料の少なくとも７５重量％を構成することが好ましく、該材料の少なくとも９０重量％を構成することがより好ましい。該材料の他の成分は、０重量％乃至２５重量％の１種以上の他の生体適合性多糖、例えば、アルギン酸ナトリウム、アルギン酸カルシウム等のアルギン酸塩、デンプングリコール酸ナトリウム（sodium starch glycolate）等のデンプン誘導体、メチルセルロース、カルボキシメチルセルロース等のセルロース誘導体、またはヒアルロン酸もしくはその塩、コンドロイチン硫酸、ヘパラン硫酸等のグリコサミノグリカンを含んでよい。該材料はまた、２０重量％まで、好ましくは１０重量％までの水を含んでもよい。該材料はまた、０重量％乃至４０重量％、好ましくは０重量％乃至２５重量％の可塑剤、好ましくはグリセロール等の多価アルコールを含んでもよい。該材料はまた、０重量％乃至１０重量％、好ましくは０重量％乃至５重量％の１種以上の治療効果のある創傷治癒剤、例えば、非ステロイド抗炎症薬（例えばアセトアミノフェン）、ステロイド類、抗生物質（例えばペニシリン、ストレプトマイシン）、防腐剤（銀サルファジアジン（silver sulfadiazine）、クロロヘキシジン）、または成長因子（例えば繊維芽細胞増殖因子、血小板由来増殖因子）を含んでもよい。
このタンパク質の酸化セルロースに対する重量比は１：９９乃至９９．９９：１であることが好ましい。その重量比は１：１０乃至９９．９：１の範囲にあることがより好ましく、また２：１乃至９５：１の範囲にあることがさらに好ましい。
本発明による材料は、粉末（powder）、小胞（microspheres）、薄片（flakes）、マット、膜（film）等のどのような便利な形態でもよい。しかし、本発明による材料は、局所適用するための半固体状またはゲル状の軟膏の形態、あるいは凍結乾燥または溶媒乾燥したスポンジの形態であることが好ましい。
この創傷ドレッシング医薬品は、慢性創傷に対して局所適用するための滅菌包装した半固体状またはゲル状軟膏であることが好ましく、ここにおいて前記軟膏は０．０５％Ｗ／Ｖ乃至５０％Ｗ／Ｖの酸化セルロースを含む。
この軟膏は医薬上許容可能なキャリア中に、好ましくは０．１％Ｗ／Ｖ乃至２０％Ｗ／Ｖ、より好ましくは１％Ｗ／Ｖ乃至１０％Ｗ／Ｖの酸化セルロースを含む。適切なキャリアとして、ヒドロキシエチルセルロース、ヒドロキシメチルセルロース、カルボキシルメチルセルロース、ヒドロキシプロピルメチルセルロース、それらの混合物等のセルロース誘導体を含有するヒドロゲル、およびポリアクリル酸（カーボポール（Carbopols））を含有するヒドロゲルが挙げられる。また、適切なキャリアとして、局所医薬製造のために使用されるクリーム／軟膏、例えば、セトマクロゴール（cetomacrogol）乳化軟膏をベースにしたクリームも挙げられる。上記キャリアは、アルギン酸塩（濃縮剤または刺激物として）、ベンジルアルコール等の保存料、リン酸水素二ナトリウム／リン酸二水素ナトリウム等のｐＨを調節するための緩衝液、塩化ナトリウム等の浸透性を調整するための薬剤、ＥＤＴＡ等の安定化剤を含んでもよい。
この軟膏中の酸化セルロースは、本願で記載するようにタンパク質と複合体形成するのが好ましい。
あるいは、この創傷ドレッシングは、慢性創傷に対して適用するための凍結乾燥または溶媒乾燥した生吸収性スポンジも提供し、前記スポンジは０．１％Ｗ／Ｗ乃至５０％Ｗ／Ｗの酸化セルロースと、５０％Ｗ／Ｗ乃至９９．９％Ｗ／Ｗの１種以上の構造タンパク質を含む。前記スポンジの平均孔径は１０μｍ乃至５００μｍの領域にあるのが好ましく、約１００μｍ乃至３００μｍの領域にあるのがより好ましい。
この発明の酸化セルロースと複合体形成するための適切なタンパク質として、フィブロネクチン、フィブリン、ラミニン、エラスチン、コラーゲン等の構造タンパク質が挙げられる。このタンパク質はコラーゲンを含むことが好ましく、実質的にコラーゲンより成ることがより好ましい。コラーゲンは、微生物資源を含め、どのような天然資源から得られたコラーゲンでもよいが、米国特許第４６１４７９４号および同第４３２０２０１号に記載されたように非コラーゲン成分、例えば脂肪、非コラーゲンタンパク質、多糖および他の炭水化物が十分に除かれたウシ真皮から得られたコラーゲンであることが好ましく、それら特許の内容全体を参照により本願に取り入れる。コラーゲンはＩ型、II型もしくはIII型コラーゲンであってよく、また化学的に改変したコラーゲン、例えば、天然コラーゲンから免疫原性のテロペプチドを除去して得られたアテロコラーゲンであってもよい。コラーゲンはまた、既知の方法で天然コラーゲンのペプシン処理により得られた、分子量が５，０００乃至１００，０００、好ましくは５，０００乃至５０，０００の範囲にある可溶化コラーゲンもしくは可溶性コラーゲン断片を含んでもよい。
この酸化セルロースは酸化再生セルロース（ＯＲＣ）を含むことが好ましい。この酸化再生セルロース（ＯＲＣ）は米国特許第３１２２４７９号に記載された方法により得ることができ、その特許の内容全体を参照により本願に取り入れる。この材料は、生体適合性、生分解性、非免疫原性および容易に購入可能であるという特徴を含め数多くの利点を与える。ＯＲＣは酸化の程度を変え、よって分解の速度を変えて利用することができる。ＯＲＣは織布、不織布または編布を含め不溶性繊維の形態で使用してよい。このＯＲＣは、他の好適な実施形態では、ＯＲＣのアルカリ加水分解により得られた水溶性の低分子量断片である。
このように或る範囲の調節可能な特性を有するコラーゲンとＯＲＣ両方の容易な利用可能性は、本発明に使用されるこれらの材料の特性を際立って優れた程度まで調節できることを意味する。特に、該材料の生物吸収速度、有孔性および密度を調節することができる。
また、驚くべきことに、本発明の好適な実施形態において使用されるタンパク質／酸化セルロース複合体が成長因子、特に血小板由来増殖因子に対して優れた結合能を有することも見出された。従って、本発明は、１種以上の細胞増殖因子を結合するための酸化セルロースあるいは酸化セルロースと構造タンパク質との複合体の使用も提供するものである。この細胞増殖因子は血小板由来増殖因子（ＰＤＧＦ）であることが好ましい。
本発明はさらに、生物試料または生物から細胞増殖因子を分離する方法も提供し、この方法は、
（i）生物試料または生物を、酸化セルロースあるいは酸化セルロースと上述の構造タンパク質との複合体を含む材料に生体内（in vivo）または生体外（in vitro）で接触させて、その増殖因子を該材料に結合させること、および
（ii）その結合した増殖因子を該材料から回収することを含む。
本発明はさらに、活性な創傷ドレッシング材料を製造する方法も提供し、この方法は、
（i）酸化セルロースあるいは酸化セルロースと上述の構造タンパク質との複合体を、細胞増殖因子を含有した生物媒体に接触させて、その細胞増殖因子を該材料に結合させる工程、および
（ii）その細胞増殖因子が結合した該材料を洗浄し乾燥して、前記活性創傷ドレッシング材料を形成する工程を含む。細胞増殖因子は血小板由来増殖因子を含むことが好ましい。
もう一つの形態において本発明は、褥瘡性潰瘍、静脈性潰瘍、糖尿病性潰瘍などの哺乳動物の慢性創傷の処置方法を提供する。この方法は、酸化セルロースあるいは酸化セルロースと上述の構造タンパク質との複合体を含むドレッシングを創傷に適用することを含む。
この酸化セルロースは慢性創傷に少なくとも１時間適用されるのが好ましく、より好ましくは少なくとも６時間、最も好ましくは少なくとも１２時間適用される。この酸化セルロース処置は、慢性創傷のために必要であれば、酸化セルロースドレッシングを適当に変えて、数日間または数週間に渡り延長してよい。このことは、数秒または数分だけしか通常続かないＯＲＣの止血用途とは好対照をなす。
いかなる理論にも拘束されることを望まないが、この酸化セルロースおよびその複合体は、以下の道筋の少なくとも一部で慢性創傷治癒を促進すると考えられる。第一に、この酸化セルロースは、ＰＤＧＦ、ＥＧＦ、ＦＧＦ等の成長因子に結合してこれらの成長因子を創傷部位で保持する。そうでなければ、そのような成長因子は創傷滲出液に沿って創傷部位から遠くへ運ばれる傾向がある。生理的ｐＨで酸化セルロースが徐々に分解する結果、成長因子が徐々に放出されて創傷に戻る。第二の理由は、この酸化セルロースが十分に生吸収性があり、生理学的受容性があることである。第三の理由は、この酸化セルロースの生体内（in vivo）分解により生成するオリゴ糖断片がそれ自体で慢性創傷治癒を促進することである。
この慢性創傷は、静脈性潰瘍、褥瘡性潰瘍および糖尿病性潰瘍より成る群から選択されることが好ましい。この慢性創傷は、実質的にまたは完全に非出液性（non-bleeding）であることが好ましい。この用語「慢性創傷」は、歯周障害もしくは疾患を包含しない。
本発明で使用されるタンパク質／酸化セルロース複合体は、タンパク質の水性分散液を供給する工程、酸化セルロースをその水性分散液に浸すまたは分散させる工程、次に、その水性分散液から水を除去して、酸化再生セルロースと複合体形成したタンパク質を含む材料を残す工程を含む方法によって製造することができる。
本発明による材料中の任意的、追加的成分は、水性分散液から水を除去する前に、その水性分散液中に含まれることが好ましい。
分散液のｐＨはｐＨ３乃至ｐＨ４．５に調整されるのが好ましい。このｐＨ範囲はコラーゲンの等電点ｐＨよりも小さい。
水は水性分散液から蒸発により除去することができ、例えば、トレイ内の分散液からの蒸発により材料フィルムを残すことができる。しかしながら、スポンジの形態の材料を得るため、凍結乾燥（lyophilizing）または溶媒乾燥（solvent−drying）により水を除去することが好ましい。水性分散液は５ｍｇ／ｍｌ乃至３０ｍｇ／ｍｌのコラーゲンを含有することが好ましい。コラーゲンをベースとするスポンジは、実質的に米国特許公報第２１５７２２４号に記載されたように凍結乾燥により形成される。
この方法は、分散液中または乾燥材料中のタンパク質と多糖を、カルボジイミド、ヘキサメチレンジイソシナート（ＨＭＤＩ）、グルタールアルデヒド等の架橋剤で処理することをさらに含むのが好ましい。あるいは、架橋は熱的脱水素により（dehydrothermally）行ってもよい。架橋の方法は最終生成物に顕著に影響を与え得る。例えば、ＨＭＤＩ架橋は複合体内のタンパク質の第一アミノ基を架橋するのに対し、カルボジイミド架橋はＯＲＣの炭水化物をタンパク質の第一アミノ基に架橋する。
酸化セルロースは、タンパク質の水性分散液に酸化セルロースの懸濁液または溶液の形態で加えてよく、好ましくは同等のｐＨでコラーゲン分散液に加えた後に攪拌または均質化（homogenisation）により混合することが好ましい。あるいは、酸化セルロースの乾燥した繊維もしくは布をコラーゲンの水性分散液に浸してもよい。
以下、本発明の具体的実施形態を図面を参照して実施例により、さらに説明するが図面において、
図１は、（ａ）ペプシン可溶化コラーゲン、（ｂ）平均分子量８，０００のＯＲＣ断片と複合体形成したペプシン可溶化コラーゲン、（ｃ）平均分子量約２０，０００のＯＲＣ断片と複合体形成したペプシン可溶化コラーゲン、および（ｄ）（比較のため）ヘパラン硫酸と複合体形成したペプシン可溶化コラーゲンより成る血清処理フィルムについて繊維芽細胞の細胞増殖（任意単位）のグラフを示し、
図２は、以下の材料：（ａ）プラスチック、（ｂ）コラーゲンスポンジ、（ｃ）コラーゲン／可溶化ＯＲＣスポンジ、（ｄ）INTERCEED（登録商標）ＯＲＣに対する血小板由来増殖因子（ＰＤＧＦ）の結合％、およびこれらの材料からこの増殖因子の除去の容易性のグラフを示し、
図３は、コラーゲンスポンジおよびSURGICEL（登録商標）ＯＲＣ布について（比較測定）、ならびに１０重量％、２０重量％および３０重量％の繊維性ＯＲＣでそれぞれ複合体形成したコラーゲンのスポンジについて測定したＭＭＰ結合の相対量のグラフを示す。
実施例１：  コラーゲン／繊維性ＯＲＣスポンジの調製
米国特許第４６１４７９４号および同第４３２０２０１号に記載されたように調製した、凍結乾燥したコラーゲンを、１０ｍｇ／ｍｌの濃度で冷０．０５Ｍ酢酸中に再懸濁する。ミル（粉砕）したＯＲＣ粉末（ミルしたSurgicel（登録商標）布地）を１：３のＯＲＣ：コラーゲン比でその懸濁液に加え、ウォリングブレンダー（Waring Blendor）を用いて低速で３×３０秒間ホモジェナイズ（均質化）した。この複合体懸濁液を真空オーブン中で１０分間脱気し、次に３ｍｍの深さまで注ぎ急速冷凍する。この冷凍した懸濁液を、温度勾配（temperature ramping）設備と共にプログラム可能エドワーズ（Edwards）凍結乾燥器を用いて凍結乾燥し熱的脱水素により架橋するか、あるいは米国特許公報第２１５７５２４号に記載されたような溶媒乾燥法を用いて乾燥する。
実施例２：  コラーゲン／ＯＲＣオリゴ糖スポンジの調製
可溶性コラーゲンを、E. J. MillerおよびR. K. Rhodes「異なる型のコラーゲンの調製とキャラクタライゼーション（Preparation and Characterisation of the Different Types of Collagen）」，Methods Enzymol Vol. ８２，第３３頁乃至第６４頁（１９８２年）の公表された方法により調製する。ＯＲＣの可溶性オリゴ糖を、本願と同日に提出され、これと共通して譲渡された同時係属の特許出願に記載されたように調製する。簡潔に言えば、このＯＲＣオリゴ糖は、購入可能なＯＲＣを６Ｍ水酸化ナトリウム溶液により３７℃で４５分間処理し、次に中和および透析により分子量１０００未満の断片と不純物を除去することによって調製する。その結果生じたＯＲＣの可溶性オリゴ糖を、可溶性コラーゲン（０．０７５ｍｇ／ｍｌ）に（共に冷０．０５Ｍ酢酸中で）、新たな複合体の沈殿が生じなくなるまで攪拌しながらゆっくりと加える。この複合体沈殿を遠心分離により単離し、ｐＨ７．２のリン酸緩衝液で洗浄し、そしてホモジェナイゼーション（均質化）により同じ緩衝液中３０％Ｗ／Ｖで再懸濁する。この懸濁液を３ｍｍの深さまで注ぎ、−３０℃で急速冷凍し、凍結乾燥する。
実施例３：  コラーゲン／ＯＲＣフィルムの調製
懸濁液を沈殿させるのではなく冷凍や凍結乾燥というよりもむしろ空気乾燥させることを除いては最初の二つの実施例のいずれかに記載した方法により、創傷に適用するためのコラーゲン／ＯＲＣフィルムを調製する。柔軟なフィルムを調製するため、その懸濁液に少量のグリセロールを添加してよい。
実施例４：  ＯＲＣのプレ・ゲル化法を用いたコラーゲン／ＯＲＣフィルムの調製
ＯＲＣ布（SURGICEL）を、その布がゼラチン状塊に転換されるのに充分な時間、ｐＨ８．０の希アルカリ（ＮａＨＣＯ3）中で懸濁する（４％Ｗ／Ｖ）。同じｐＨでコラーゲンスラリーを加えて、１％Ｗ／ＶのコラーゲンとSurgicel（登録商標）両方の最終固体含有量を得る。このスラリーを攪拌し、そのｐＨを酢酸を用いてｐＨ３．０乃至ｐＨ４．０に調整する。この最終スラリーを型に入れ、冷凍し真空下で凍結乾燥する。
実施例５
静脈性潰瘍、褥瘡性潰瘍または糖尿病性潰瘍に適用するために適した創傷ドレッシングを、ジョンソン・エンド・ジョンソン・メディカル社から得たINTERCEED（登録商標）布の５ｃｍ×５ｃｍ2切断によって調製する。
実施例６
創傷に局所適用するための創傷処置用ゲルを以下のように調製する。
１ｍｍスクリーンを通じてSURGICEL（登録商標）布をミル（粉砕）し、その結果生じた繊維を３％Ｗ／Ｗカルボキシメチルセルロース（ＣＭＣ）水性ゲル中に３％Ｗ／Ｗの濃度で分散させる。このゲルを、金属被覆ポリマーポーチ（袋）内に包装し、γ線照射により滅菌する。
実施例７
静脈性潰瘍、褥瘡性潰瘍または糖尿病性潰瘍に適用するために適した中和ＯＲＣ創傷ドレッシングを、欧州特許公開第０４３７０９５号に記載されたように調製した。簡潔に言えば、ジョンソン・エンド・ジョンソン・メディカル社からINTERCEED（登録商標）として入手可能な１５．２％のカルボキシル酸含有量をもった酸化再生セルロース（ＯＲＣ）布の７１．９グラムの量を、穿孔された芯に巻き付け、循環ポンプを備えた反応器内に置いた。この反応器を３リットルの水と２リットルのメチルアルコールの混合液で満たした。溶液を外部循環させるための組込み式ポンプを備えたブルックフィールド（Brookfield）ＥＸ−１００恒温浴を作動し、穿孔芯の中心を通じて、またその芯に巻き付けた布のパイル（積重物）を通じてその溶剤をポンプで循環した。その溶剤は出口ラインを通じて流れ、再びポンプを通じて再循環され、芯に戻された。
その布のカルボキシル酸のモル数に等しい化学量論量の酢酸ナトリウム三水和物をその溶液に加えた。すなわち、カルボキシル酸の７１．９×１５．２％＝１０．９２グラムに相当する酢酸ナトリウム三水和物の３３．０５グラムである。
この３３．０５グラムの酢酸ナトリウム三水和物をそのアルコール水溶液に加え、布の周囲にまた布を通じて３０分間ポンプで循環した。３０分後、循環溶液のｐＨは一定値（ｐＨ４．６）に達した。次に、その布を反応器から取り出し、６００ｍｌのメタノール中に１０分間浸した。このメタノールを除去し、別の６００ｍｌの新鮮なメタノールに取り換えた。この２回目の洗浄後、布を吊るして空気乾燥した。本発明による創傷ドレッシングとして用いるため、その布の５ｃｍ×５ｃｍ片を切断した。
以上のように調製した本発明による材料の有利な特性は、以下のようにして決定された。
手順１：  繊維芽細胞の細胞増殖の促進
コラーゲン／アルカリ可溶性ＯＲＣ複合体フィルムをペトリ皿内で実施例２／実施例３に記載したように調製し、そして、そのフィルムに血清を注ぎ、３７℃で一晩インキュベート（保温）した。この血清を除去し、繊維芽細胞の細胞増殖に及ぼす効果を測定した（図１）。ペプシン可溶化コラーゲン（ＰＳＣ）フィルム（対照）、上述のように調製したＰＳＣ＋平均分子量約８，０００のＯＲＣオリゴ糖およびＰＳＣ＋約２０，０００のＯＲＣオリゴ糖、ならびに正の対照として含めたＰＳＣ＋ヘパリンについて、細胞増殖を観察した。これらの結果は、コラーゲン／ＯＲＣ断片フィルムが、細胞増殖を刺激する血清由来の因子を結合するようにみえることを示す。
手順２：  血小板由来増殖因子の結合
ＰＤＧＦ結合の研究を以下のようにして行った。
試験材料の小区分（INTERCEED（登録商標）ＯＲＣ布のおよそ１ｃｍ2正方形、およびコラーゲンスポンジのおよそ１ｃｍ×０．５ｃｍ×０．４ｃｍ区分）の重量を計り、室温で少なくとも１時間、１５０ｍＭ塩化ナトリウム含有１００ｍＭリン酸ナトリウム二塩基性緩衝液（合計量１ｍｌ）中に浸した。次に、試料をリン酸緩衝食塩水（ＰＢＳ）中の２％ウシ血清アルブミン（ＢＳＡ）と共に２時間室温でインキュベートした。次に、２２ｎｇのＰＤＧＦを２％ＢＳＡ含有ＰＢＳ２５０μｌ中の各試料に添加し、次に試料をさらに１時間３７℃でインキュベートした。次に、各試料をＰＢＳ２５０μｌで３回洗浄した後、塩化ナトリウム濃度を増加させた。最後に、各試料を４．０Ｍ尿素で洗浄した。当初（original）のＰＤＧＦ調製物および種々の洗浄物のＰＤＧＦ  ＥＬＩＳＡ分析を行った。図２に示したデータは、コラーゲンとＯＲＣの複合体からは該増殖因子を全体として回収できる一方、個々の構成要素は全ての該増殖因子を放出するようにみえないことを示す。結合特性もまた、個々の構成要素に比べて、コラーゲン／ＯＲＣ複合体が特有に異っている。これらの観察結果は、該複合体が特有のＰＤＧＦ結合を有し、これを成長因子の外因性の結合および内因性の結合と放出の双方のために適切に利用し得ることを示す。
手順３：  マトリックスメタロプロティナーゼ結合
コラーゲンとＯＲＣとの間の複合体形成がマトリックスメタロプロティナーゼ（ＭＭＰ）結合に及ぼす効果を以下のようにして評価した。
０重量％，２０重量％および３０重量％の繊維性ＯＲＣをそれぞれ含有したコラーゲン／繊維性ＯＲＣスポンジを、実施例１に記載した手順により調製した。比較のため、ＯＲＣの無いコラーゲンスポンジを調製した。比較のため、SURGICEL（登録商標）ＯＲＣ布の試料も調製した。
簡潔に言えば、各試料５０ｍｇを、タンパク質分解性緩衝液（５０ｍＭ  トリス／ＨＣｌ ｐＨ７．８，５０ｍＭ ＣａＣｌ2，０．５Ｍ ＮａＣｌ）中で１：５０に希釈した急性創傷液２．５ｍｌを含有した１５ｍｌプラスチックビーカーに入れ、振盪水浴上で３時間３７℃でインキュベートした。急性創傷液は、マトリックスメタロプロティナーゼを含め種々のプロティナーゼを含有しており、これらの酵素の多くが選択的に種々のドレッシング材料に結合することになる。各材料が吸収した余分な液を、金属スパチュラを用いて機械的に絞り出し廃棄した。その残りのドレッシングを、前もって充填した２ｍｌシリンジ（各シリンジは０．５ｍｌ体積の２．５ｍｍガラスビーズを含有する）に入れた。４ｍｌのタンパク質分解性緩衝液をシリンジに押し込み、１ｍｌのアリコート（等分）を廃棄した。この洗浄段階において、結合しないプロティナーゼおよびドレッシング材料に弱くしか結合しないプロティナーゼの全てがドレッシングから除去され、より強固に結合したものがドレッシングに残った。この緩衝液ですすいだドレッシングを次に別の１５ｍｌプラスチックビーカーに移した。非変性試料緩衝液（６．３ｍｌ ０．０５Ｍ  トリス／ＨＣｌ．ｃ  ｐＨ６．８，２．５ｍｌグリセロール，０．５ｇ ＳＤＳ，１６．２ｍｌ水およびブロモフェノールブルー）１ｍｌを各サンプルに加え、６に設定されたオービタルシェーカー（振盪器）上に２時間置いた。この試料緩衝液は上記強固に結合したプロティナーゼを材料から分離し、これが次に試料緩衝液自体に存在する。この後、試料緩衝液２０マイクロリットルを各容器から取り出し、Heussen C.およびDowdle E.B., Anal. Biochem. １０２：１９６−２０２（１９８０年）に記載されたようにゼラチン基体ＳＤＳ−ポリアクリルアミドゲル電気泳動（zymography）にかけた。
ゲル上のクリアランス（間隔）の個々のゾーンの面積（これはプロティナーゼ活性による）をOptilab（登録商標）システムにより正確に測定した。これは、各結合実験を繰り返し（ｎ＝３）、その結果をスチューデントのＴ検定（Students T test）（ここでＰ≦０．０５）により統計的に分析することによって行った。分析は対照の純粋コラーゲンに対して行った。
図３に示した結果は、コラーゲンとＯＲＣの複合体についてＭＭＰ結合の驚くべき統計的改善を実証する。データは、マトリックスメタロプロティナーゼ２（ゲラチナーゼＡ）とマトリックスメタロプロティナーゼ９（ゲラチナーゼＢ）のプロ酵素型（ＰＲ０２とＰＲ０９）について示されている。いかなる理論にも拘束されることを望まないが、この改善は、複合体形成によりコラーゲンおよびＯＲＣ上の反対の静電的電荷の中和に関係すると考えられる。
手順４
純粋ＯＲＣおよび中和ＯＲＣ布に対する精製された成長因子の結合を次のようにして調べた。ＰＤＧＦ、ＥＧＦおよびＦＧＦの２００マイクログラムの各試料を、INTERCEED（登録商標）および（実施例２からの）中和Interceedの１ｃｍ×１ｃｍ正方形に加えて、結合しない成長因子の量をＨＰＬＣにより測定した。その研究は、成長因子結合に及ぼすイオン強度の効果およびカルボキシル化の効果の両方を調べた。これらＯＲＣ材料を成長因子と共に１時間３７℃でインキュベートし、次に０．０５Ｍまたは０．０３ＭのＮａＣｌの２×１ｍｌで５分間洗浄した。この洗浄溶液を集め、プール（蓄液）し、ＨＰＬＣにより成長因子についてアッセイ（検定）を行った。その結果を表１に示す。
0004401438.tif 000002
これらの結果は８５％と１００％の間のＰＤＧＦ、ＦＧＦおよびＥＧＦがINTERCEEDに結合することを示す。しかしながら、ＦＧＦおよびＥＧＦだけが、中和Interceedに結合する。これら成長因子の等電点の差（ＰＤＧＦ＝９．６，ＦＧＦ＝１０，ＥＧＦ＝４．８）のためＥＧＦが結合しないと考えられる。
以上の実施例はただ例示のみを意図するものである。添付の請求の範囲の範囲内に該当する、多くの他の実施態様が、当業者には明らかだろう。
〔実施の態様〕
１．慢性創傷処置用の医薬品の製造のための酸化セルロースの使用。
２．酸化セルロースは創傷液に溶けない、織った繊維体、織らない繊維体または編んだ繊維体の形態である実施態様１に記載の使用。
３．前記酸化セルロースは分散された繊維または粉末の形態である実施態様１または実施態様２のいずれか１項に記載の使用。
４．前記繊維または粉末は局所適用するための半固体状賦形剤中に分散される実施態様３に記載の使用。
５．酸化セルロースの平均分子量は５０，０００よりも大きい実施態様１乃至実施態様４のいずれか１項に記載の使用。
６．酸化セルロースは酸化再生セルロース（ＯＲＣ）を含む実施態様１乃至実施態様５のいずれか１項に記載の使用。
７．酸化セルロースは構造タンパク質と複合体形成する実施態様１乃至実施態様６のいずれか一項に記載の使用。
８．酸化セルロースとタンパク質（存在する場合）は合わせて該材料の少なくとも７５重量％を構成する実施態様７に記載の使用。
９．酸化セルロースとタンパク質（存在する場合）は合わせて該材料の少なくとも９０重量％を構成する実施態様８に記載の使用。
１０．該材料は凍結乾燥または溶媒乾燥したスポンジである実施態様７、実施態様８または実施態様９に記載の使用。
１１．該材料は固体状フィルムである実施態様７、実施態様８または実施態様９に記載の使用。
１２．タンパク質の酸化セルロースに対する重量比は１：９９乃至９９．９９：１である実施態様７乃至実施態様１１のいずれか１項に記載の使用。
１３．タンパク質の酸化セルロースに対する重量比は１：１０乃至９９．９：１である実施態様１２に記載の使用。
１４．タンパク質はコラーゲン、フィブロネクチン、フィブリン、ラミニンまたはエラスチンを含む実施態様７乃至実施態様１３のいずれか１項に記載の使用。
１５．タンパク質は実質的にコラーゲンより成る実施態様１４に記載の使用。
１６．タンパク質は、分子量が５，０００乃至１００，０００の範囲にある部分加水分解された可溶性コラーゲンである実施態様１４または実施態様１５に記載の使用。
１７．コラーゲンは繊維性の実質的に不溶なコラーゲンである実施態様１４または実施態様１５に記載の使用。
１８．酸化セルロースは、分子量が５，０００乃至５０，０００の範囲にある水溶性の酸化セルロース断片を含む実施態様１乃至実施態様１７のいずれか１項に記載の使用。
１９．前記慢性創傷は、静脈性潰瘍、褥瘡性潰瘍および糖尿病性潰瘍より成る群から選択される実施態様１乃至実施態様１８のいずれか１項に記載の使用。
２０．生物試料または生物から細胞増殖因子を分離する方法であって、
（ｉ）前記生物試料または生物を、構造タンパク質と共に酸化セルロースを含む材料に生体内または生体外で接触させて、その増殖因子を該材料に結合させること、および
（ii）その結合した増殖因子を該材料から回収することを含む方法。
２１．活性な創傷ドレッシング材料を製造する方法であって、
（ｉ）酸化セルロースあるいは酸化セルロースと構造タンパク質との複合体を、細胞増殖因子を含有した生物媒体に接触させて、その細胞増殖因子を該材料に結合させる工程、および
（ii）その細胞増殖因子が結合した該材料を洗浄し乾燥して、前記活性創傷ドレッシング材料を形成する工程を含む方法。
２２．前記細胞増殖因子は血小板由来増殖因子を含む実施態様２０または実施態様２１に記載の方法。
２３．前記医薬品は慢性創傷に対して局所適用するための滅菌包装した半固体状またはゲル状軟膏であり、前記軟膏は０．０５％Ｗ／Ｖ乃至５０％Ｗ／Ｖの前記酸化セルロースを含む実施態様１に記載の使用。
２４．前記医薬品は慢性創傷に対して適用するための生吸収性スポンジであり、前記スポンジは０．１％Ｗ／Ｗ乃至５０％Ｗ／Ｗの前記酸化セルロースと５０％Ｗ／Ｗ乃至９９．９％Ｗ／Ｗの１種以上の構造タンパク質を含む実施態様１に記載の使用。
【図１】
0004401438.tif 000003
【図３】
0004401438.tif 000004
【図２（ａ）】
0004401438.tif 000005
【図２（ｂ）】
0004401438.tif 000006
【図２（ｃ）】
0004401438.tif 000007
【図２（ｄ）】
0004401438.tif 000008